【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
結晶性樹脂と、非結晶性樹脂と、炭素数が５以上１２以下の範囲のアルキル基を有する有機金属化合物と、を少なくとも含むことを特徴とする静電荷像現像用トナー。
【請求項２】
前記炭素数が５以上１２以下の範囲のアルキル基を有する有機金属化合物が、前記結晶性樹脂および前記非結晶性樹脂から選択される少なくとも一方の樹脂の重合に用いる触媒であることを特徴とする請求項１に記載の静電荷像現像用トナー。
【請求項３】
前記炭素数が５以上１２以下の範囲のアルキル基を有する有機金属化合物が、Ｓｎ元素およびＴｉ元素から選択されるいずれか一方の金属元素を含むことを特徴とする請求項１に記載の静電荷像現像用トナー。
【請求項４】
前記結晶性樹脂が、結晶性ポリエステル樹脂であることを特徴とする請求項１に記載の静電荷像現像用トナー。
【請求項５】
前記非結晶性樹脂が、非結晶性ポリエステル樹脂であることを特徴とする請求項１に記載の静電荷像現像用トナー。
【請求項６】
結晶性樹脂と、非結晶性樹脂と、炭素数が５以上１２以下の範囲のアルキル基を有する有機金属化合物と、を少なくとも含むトナーを有することを特徴とする静電荷像現像剤。
【請求項７】
トナー像形成手段を少なくとも備えた画像形成装置に対して脱着可能であり、前記トナー像形成手段に供給するための現像剤を収納し、
前記現像剤が、結晶性樹脂と、非結晶性樹脂と、炭素数が５以上１２以下の範囲のアルキル基を有する有機金属化合物と、を少なくとも含むトナーを有することを特徴とするトナーカートリッジ。
【請求項８】
画像形成装置に対して脱着可能であり、
像保持体と、現像剤を収容すると共に前記像保持体表面に形成された静電潜像に前記現像剤を供給してトナー像を形成するトナー像形成手段とを少なくとも備え、
前記現像剤が、結晶性樹脂と、非結晶性樹脂と、前記結晶性樹脂および前記非結晶性樹脂から選択される少なくとも一方の樹脂中に分散する炭素数が５以上１２以下の範囲のアルキル基を有する有機金属化合物と、を少なくとも含むトナーを有することを特徴とするプロセスカートリッジ。
【請求項９】
像保持体表面を帯電する帯電工程と、帯電された前記像保持体表面に静電潜像を形成する静電潜像形成工程と、前記静電潜像を前記現像剤により現像してトナー像を形成するトナー像形成工程と、前記トナー像を記録媒体表面に転写する転写工程と、前記記録媒体表面に転写されたトナー像を定着する定着工程と、を少なくとも含み、
前記現像剤が、結晶性樹脂と、非結晶性樹脂と、炭素数が５以上１２以下の範囲のアルキル基を有する有機金属化合物と、を少なくとも含むトナーを有することを特徴とする画像形成方法。
【請求項１０】
像保持体と、該像保持体表面を帯電する帯電手段と、帯電された前記像保持体表面に静電潜像を形成する静電潜像形成手段と、前記静電潜像を前記現像剤により現像してトナー像を形成するトナー像形成手段と、前記トナー像を記録媒体表面に転写する転写手段と、前記記録媒体表面に転写されたトナー像を定着する定着手段と、を少なくとも備え、
前記現像剤が、結晶性樹脂と、非結晶性樹脂と、前記結晶性樹脂および前記非結晶性樹脂から選択される少なくとも一方の樹脂中に分散する炭素数が５以上１２以下の範囲のアルキル基を有する有機金属化合物と、を少なくとも含むトナーを有することを特徴とする画像形成装置。
【手続補正２】
【補正対象書類名】明細書
【補正対象項目名】０００４
【補正方法】変更
【補正の内容】
【０００４】
上記課題は以下の本発明により達成される。すなわち、
請求項１に係わる発明は、
結晶性樹脂と、非結晶性樹脂と、炭素数が５以上１２以下の範囲のアルキル基を有する有機金属化合物と、を少なくとも含むことを特徴とする静電荷像現像用トナーである。
【手続補正３】
【補正対象書類名】明細書
【補正対象項目名】０００５
【補正方法】変更
【補正の内容】
【０００５】
請求項２に係わる発明は、
前記炭素数が５以上１２以下の範囲のアルキル基を有する有機金属化合物が、前記結晶性樹脂および前記非結晶性樹脂から選択される少なくとも一方の樹脂の重合に用いる触媒であることを特徴とする請求項１に記載の静電荷像現像用トナーである。
【手続補正４】
【補正対象書類名】明細書
【補正対象項目名】０００６
【補正方法】変更
【補正の内容】
【０００６】
請求項３に係わる発明は、
前記炭素数が５以上１２以下の範囲のアルキル基を有する有機金属化合物が、Ｓｎ元素およびＴｉ元素から選択されるいずれか一方の金属元素を含むことを特徴とする請求項１に記載の静電荷像現像用トナーである。
【手続補正５】
【補正対象書類名】明細書
【補正対象項目名】０００９
【補正方法】変更
【補正の内容】
【０００９】
請求項６に係わる発明は、
結晶性樹脂と、非結晶性樹脂と、炭素数が５以上１２以下の範囲のアルキル基を有する有機金属化合物と、を少なくとも含むトナーを有することを特徴とする静電荷像現像剤である。  
【手続補正６】
【補正対象書類名】明細書
【補正対象項目名】００１０
【補正方法】変更
【補正の内容】
【００１０】
請求項７に係わる発明は、
トナー像形成手段を少なくとも備えた画像形成装置に対して脱着可能であり、前記トナー像形成手段に供給するための現像剤を収納し、
前記現像剤が、結晶性樹脂と、非結晶性樹脂と、炭素数が５以上１２以下の範囲のアルキル基を有する有機金属化合物と、を少なくとも含むトナーを有することを特徴とするトナーカートリッジである。
【手続補正７】
【補正対象書類名】明細書
【補正対象項目名】００１１
【補正方法】変更
【補正の内容】
【００１１】
請求項８に係わる発明は、
画像形成装置に対して脱着可能であり、
像保持体と、現像剤を収容すると共に前記像保持体表面に形成された静電潜像に前記現像剤を供給してトナー像を形成するトナー像形成手段とを少なくとも備え、
前記現像剤が、結晶性樹脂と、非結晶性樹脂と、前記結晶性樹脂および前記非結晶性樹脂から選択される少なくとも一方の樹脂中に分散する炭素数が５以上１２以下の範囲のアルキル基を有する有機金属化合物と、を少なくとも含むトナーを有することを特徴とするプロセスカートリッジである。
【手続補正８】
【補正対象書類名】明細書
【補正対象項目名】００１２
【補正方法】変更
【補正の内容】
【００１２】
請求項９に係わる発明は、
像保持体表面を帯電する帯電工程と、帯電された前記像保持体表面に静電潜像を形成する静電潜像形成工程と、前記静電潜像を前記現像剤により現像してトナー像を形成するトナー像形成工程と、前記トナー像を記録媒体表面に転写する転写工程と、前記記録媒体表面に転写されたトナー像を定着する定着工程と、を少なくとも含み、
前記現像剤が、結晶性樹脂と、非結晶性樹脂と、炭素数が５以上１２以下の範囲のアルキル基を有する有機金属化合物と、を少なくとも含むトナーを有することを特徴とする画像形成方法である。
【手続補正９】
【補正対象書類名】明細書
【補正対象項目名】００１３
【補正方法】変更
【補正の内容】
【００１３】
請求項１０に係わる発明は、
像保持体と、該像保持体表面を帯電する帯電手段と、帯電された前記像保持体表面に静電潜像を形成する静電潜像形成手段と、前記静電潜像を前記現像剤により現像してトナー像を形成するトナー像形成手段と、前記トナー像を記録媒体表面に転写する転写手段と、前記記録媒体表面に転写されたトナー像を定着する定着手段と、を少なくとも備え、
前記現像剤が、結晶性樹脂と、非結晶性樹脂と、前記結晶性樹脂および前記非結晶性樹脂から選択される少なくとも一方の樹脂中に分散する炭素数が５以上１２以下の範囲のアルキル基を有する有機金属化合物と、を少なくとも含むトナーを有することを特徴とする画像形成装置である。
【手続補正１０】
【補正対象書類名】明細書
【補正対象項目名】００１８
【補正方法】変更
【補正の内容】
【００１８】
＜静電荷像現像用トナー＞
本発明の静電荷像現像用トナー（以下、「トナー」と称す場合がある）は、結晶性樹脂と、非結晶性樹脂と、炭素数が５以上１８以下の範囲のアルキル基を有する有機金属化合物と、を少なくとも含むことを特徴とする。但し、本発明では、炭素数が５以上１２以下の範囲のアルキル基を有する有機金属化合物が採用される。
本発明のトナーは結晶性樹脂を含むため、低温域（１１０℃以上１４０℃以下の範囲）での定着も可能である。これは、結晶性樹脂が、融点を超えると著しく溶融粘度が低下するという性質を有するためである。この結晶性樹脂（特に重量分子量が５０００以上の結晶性樹脂）は、非結晶性樹脂と比べて疎水性が高く（すなわち、溶解度パラメーターＳＰ値が小さい）、親水性の高い（すなわち、溶解度パラメーターＳＰ値が大きい）非結晶性樹脂とは親和性に乏しい。このため、結晶性樹脂と非結晶性樹脂とは基本的には均一に混合し難しく、これら２種類の樹脂を加熱混合したとしても相分離が起こりサイズの大きい結晶性樹脂のドメインが非結晶性樹脂からなるマトリックス中に形成される傾向にある。
【手続補正１１】
【補正対象書類名】明細書
【補正対象項目名】０１５６
【補正方法】変更
【補正の内容】
【０１５６】
【表３】
2008180874.tif 000001